(57)【要約】【課題】表示されたビデオレベルの数を低減することなしに、表示されたピクチャのルミナンスパワーを実際の視聴環境及びコントラスト設定に適合させる方法を提供する。【解決手段】本発明は、表示装置の電力レベル制御の新たな方法及び該方法を実行する装置に関する。古典的に、（平均電力レベル制御に基づく）コントラスト／ブライトネス制御とパワーマネージメントは独立して行われる。これら２つの制御は矛盾する可能性がある。本発明によれば、電力レベルモード及びより詳細にはビデオフレームでの保持パルスの数は、表示されるピクチャの平均電力レベル（ＡＰＬ）、及び所望のコントラスト及び／又は明るさの値を表すピクチャ制御信号の関数として選択される。【選択図】図３
2007133406.tif 000002
【特許請求の範囲】
【請求項１】
入力ピクチャの画素に対応する複数の発光素子を有する表示装置における電力レベル制御の方法であって、ビデオフレームの期間は、複数のサブフィールドに分割され、前記サブフィールドの間、それぞれの発光素子は、対応する画素のビデオレベルを表すサブフィールドコードワードに対応する、以下に保持パルスと呼ばれる、スモールパルスでの光放出のためにアクチベートされ、電力レベルモードのセットは、それぞれの電力レベルモードに対して固有のサブフィールド編成が属する、サブフィールド符号化について提供され、前記サブフィールド編成は、フレームの間に保持パルスの数に関して可変であり、
当該方法は、
表示されるべきピクチャの電力レベルについて固有な電力値を決定するステップを含み、
前記ピクチャに適用されるコントラスト及び明るさについて固有なピクチャ制御値を選択するステップと、
前記電力値及び前記電力制御値に基づいて電力レベルモードを選択するステップとを更に含む、
ことを特徴とする方法。
【請求項２】
前記電力値及び前記ピクチャ制御値に基づいてビデオゲイン値を選択するステップと、
前記ビデオゲイン値を表示されるピクチャの画素のビデオレベルに印加するステップとを更に含む、
請求項１記載の方法。
【請求項３】
前記ピクチャ制御値は、コントラストの値及び／又は明るさの値に基づく、
請求項１又は２記載の方法。
【請求項４】
前記コントラストの値又は明るさの値は、ユーザにより選択されるか、及び／又はユーザの視聴環境の光条件から導出される、
請求項３記載の方法。
【請求項５】
入力ピクチャの画素に対応する複数の発光素子を有する表示装置における電力レベル制御のための装置であって、ビデオフレームの期間は、複数のサブフィールドに分割され、前記サブフィールドの間、それぞれの発光素子は、対応する画素のビデオレベルを表すサブフィールドコードワードに対応する、以下で保持パルスと呼ばれる、スモールパルスで光放出のためにアクチベートすることができ、
当該装置は、
表示されるべきピクチャの電力レベルについて固有な電力値を測定するための測定回路を備え、
前記ピクチャに適用されるコントラスト及び／又は明るさについて固有なピクチャ制御値を選択する第一の選択回路と、
前記電力値及び前記ピクチャ制御値に基づいてサブフィールド符号化のために使用される複数の電力レベルモードのなかで１つの電力レベルモードを選択する第二の選択回路と、それぞれの電力レベルモードに対して固有なサブフィールド編成が属し、前記サブフィールド編成はフレームの間に保持パルスの数に関して可変であり、
選択された電力レベルモードに基づいて前記ピクチャのビデオレベルをサブフィールドコードワードに符号化するサブフィールド符号化回路とを更に備える、
ことを特徴とする装置。
【請求項６】
前記第二の選択回路は、前記電力値及び前記ピクチャ制御値に基づいてビデオゲイン値を選択するために使用され、
当該装置は、表示されるべきピクチャの画素のビデオレベルに前記ビデオゲインの値を乗算するための乗算器回路を備える、
請求項５記載の装置。
【請求項７】
前記第二の選択回路は、
前記平均のピクチャ電力を第一の数の保持パルスに変換する第一の回路と、
選択されたピクチャ制御値を最大の許容される数の保持パルス、最小の許容される数の保持パルス及び保持ゲインに変換する第二の回路と、
前記第一の数の保持パルスを前記保持ゲインで乗算し、第二の数の保持パルスを伝送する第三の回路と、
前記第二の数の保持パルスと前記最小の許容される数の保持パルスとの間で最大の数の保持パルスを選択する第四の回路と、
前記最大の数の保持パルスと前記最大の許容される数の保持パルスとの間で最小の数の保持パルスを選択する第五の回路と、
前記最小の数の保持パルスを電力レベルモード及びビデオゲイン値に変換する第六の回路とを備える、
請求項６記載の装置。
【請求項８】
前記第一、第二及び第六の回路はルックアップテーブルである、
請求項７記載の装置。
【請求項９】
前記第一の選択回路は、周囲の光検出器である、
請求項５乃至８のいずれか記載の装置。
【請求項１０】
表示装置、特にプラズマディスプレイ装置に含まれる、
請求項５乃至９のいずれか記載の装置。
【発明の詳細な説明】
【技術分野】
【０００１】
本発明は、表示装置の電力レベル制御の方法及び該方法を実行するための装置に関する。
【０００２】
より詳細には、本発明は、プラズマディスプレイパネル（ＰＤＰ）のような表示装置、及び光放出のデューティサイクル変調（パルス幅変調）の原理に基づく全ての種類の表示装置のコントラスト及び周囲の光動作レンジを改善しつつ、同時に、画質が全体のレンジについて実質的に一定に保持され、低コントラスト値の設定について実質的に改善される。
【背景技術】
【０００３】
今日、プラズマ技術は、非常に制限された奥行きをもち、視野角の制限なしに、（ＣＲＴの制限から外れて）大型のフラットカラーパネルを達成するのを可能にしている。ＣＲＴ（Ｃａｔｈｏｄｅ  Ｒａｙ  Ｔｕｂｅ）技術のように、ＰＤＰは、それ自身の光を発生する技術である。同様にして、両方の技術は、フルホワイト値よりも高いピークホワイトブライトネスを可能にするパワーマネージメント（又はブライトネス調整）回路を使用している。
【０００４】
ＣＲＴスクリーンは、いわゆるＡＢＬ（Ａｖｅｒａｇｅ  Ｂｅａｍ−ｃｕｒｒｅｎｔ  Ｌｉｍｉｔｅｒ）回路を使用し、この回路は、ビデオコントローラにおけるアナログ手段により実現され、ＲＣステージを通して通常測定される平均ルミナンスの関数としてビデオゲインを減少させる。
【０００５】
プラズマディスプレイパネルは、表示されたピクチャの平均電力レベルの関数として多かれ少なかれ保持パルスを発生する、いわゆるＡＰＬ（Ａｖｅｒａｇｅ  Ｐｏｗｅｒ  Ｌｅｖｅｌ）制御回路を使用する。ＡＰＬ制御は、プラズマディスプレイにおけるより大きなピークホワイトルミナンス値について、多くの保持パルスが必ず必要とされるリフレクションから開始する。他方で、保持パルスは、ＰＤＰの高い電力消費量にも対応する。したがって、ソリューションは、平均のピクチャ電力の関数として多かれ少なかれ保持パルスを発生する制御方法であり、すなわち、異なる電力レベルをもつ異なる電力モードの間でスイッチする。かかるＡＰＬ制御回路は、国際特許出願ＷＯ００／４６７８２で開示されている。比較的低いピクチャパワーを有するピクチャについて、すなわち比較的低いルミナンスの値をもつ多くの画素について、全体の電力消費量が低いルミナンス値をもつ非常に多くの量の画素のために制限されるため、異なるビデオレベルを形成するために多くの保持パルスを使用するモードが使用される。比較的高いピクチャパワーを有するピクチャについて、すなわち比較的高いルミナンス値をもつ多くの画素について、全体の電力消費量が高いルミナンス値をもつ非常に多くの値によって高いため、異なるビデオレベルを形成するために少数の保持パルスを使用するモードが選択される。したがって、電力消費量の良好な管理のために複数の電力レベルモードを定義することができる。
【０００６】
ＡＰＬ制御は、以下のように実現される。はじめに、デガンマ後の入力信号の平均ビデオレベルが計算される。この値は、入力ピクチャを再生するために必要とされる全体のルミナンスパワーの良好な推定値である。第二に、ルックアップテーブルにより、許可されたレンジで電力消費量を保持するために入力ピクチャについて生成することができる全体の数の保持パルスが決定され、対応するサブフィールドの編成が同時に選択される。国際特許出願ＷＯ００／４６７８２で記載されるように、サブフィールドの編成は、１以上の以下の特性に関して変化させることができる。保持パルスの数、サブフィールドの数、サブフィールドのポジショニング。
【０００７】
先に記載されたように、ＡＰＬ制御回路は、セットパワーサプライをオーバロードすることなしに、高いピークホワイト値を可能にするが、ＡＰＬ制御は、ユーザにより定義されるか、又はユーザの視聴条件（昼間の視聴−暗くされた環境の光による夜間の視聴）に従って自動的に定義されるコントラスト及び／又は明るさに互換性のない機能を有する。確かに、ユーザがピクチャのコントラストを減少させたとき、ＡＰＬ制御は、ビデオフレームにおける保持パルスの数を増加させ、ユーザがピクチャのコントラストを増加しようとしたとき、ＡＰＬ制御は保持パルスの数を減少させる。したがって、これら２つの制御は反駁するものである。さらに、最近では、この問題は、ＰＤＰ技術における近年の発展のためにプラズマの明るさが改善されるため、より深刻になってきており、このことは、暗い視聴環境の場合でより大きな低減を必要とする。
【特許文献１】ＵＳ６３８０９４３Ｂ１（ＭＯＲＩＴＡ  ＴＯＭＯＫＯ  ＥＴ  ＡＬ）
【特許文献２】ＥＰ０８４１６５２Ａ（ＦＵＪＩＴＳＵ  ＬＩＭＩＴＥＤ）
【特許文献３】ＥＰ１１４９３７４Ａ（ＴＨＯＭＳＯＮ  ＬＩＣＥＮＳＩＮＧ  Ｓ．Ａ）
【発明の開示】
【発明が解決しようとする課題】
【０００８】
本発明の目的は、上記問題を有さない電力レベル制御の新たな方法及び装置を提案することにある。
【課題を解決するための手段】
【０００９】
本発明によれば、新たな電力制御方法が提案され、平均のピクチャの電力レベルの機能としてのみでなく、表示されるべき所望のピクチャ電力の機能として、サブフィールドコードワードにピクチャデータを符号化するために使用される（電力レベルモードに対応する）サブフィールド編成が選択される。ピクチャの電力は、表示されるべきビデオレベルを修正する代わりに、（フレームでの保持パルスの適切な数により）適切な電力レベルモードを選択することで制御される。
【００１０】
本発明は、入力ピクチャの画素に対応する複数の発光素子を有する表示装置における電力レベル制御の方法に関する。ビデオフレームの期間は、複数のサブフィールドに分割され、このサブフィールドの間、それぞれの発光素子は、対応する画素のビデオレベルを表すサブフィールドコードワードに対応する、以下に保持パルスと呼ばれる、スモールパルスでの光放出のためにアクチベートされ、電力レベルモードのセットは、それぞれの電力レベルモードに対して固有のサブフィールド編成が属する、サブフィールド符号化について提供され、サブフィールド編成は、フレームの間に保持パルスの数に関して可変である。本方法は、表示されるべきピクチャの電力レベルについて固有な電力値を決定するステップ、前記ピクチャに適用されるコントラスト及び明るさについて固有なピクチャ制御値を選択するステップ、及び、前記ピクチャ値及び前記電力制御値に基づいて電力レベルモードを選択するステップを含む。
【００１１】
有利なことに、前記電力値及び前記ピクチャ制御値に基づいてビデオゲイン値を選択するためのステップ、及び表示されるべきピクチャの画素のビデオレベルに前記ビデオゲイン値を印加するステップを更に含む。このビデオゲイン値は、所望のピクチャ電力を得るために必要とされる保持パルスの数が電力レベルモードのうちの１つの保持パルスの数よりも低い場合に特に有効である。
【００１２】
ピクチャの制御値は、ユーザにより選択されるか、又は視聴の条件から導出されるコントラスト値及び／又は明るさの値に基づいている。
【００１３】
また、本発明は、入力ピクチャの画素に対応する複数の発光素子を有する表示装置における電力レベル制御のための装置に関し、ビデオフレームの期間は、複数のサブフィールドに分割され、このサブフィールドの間、それぞれの発光素子は、対応する画素のビデオレベルを表すサブフィールドコードワードに対応する、以下で保持パルスと呼ばれる、スモールパルスで光放出のためにアクチベートすることができる。本装置は、表示されるべきピクチャの電力レベルについて固有な電力値を測定するための測定回路、前記ピクチャに適用されるコントラスト及び／又は明るさについて固有なピクチャ制御値を選択する第一の選択回路、前記電力値及び前記ピクチャ制御値に基づいてサブフィールド符号化のために使用される複数の電力レベルモードのなかで１つの電力レベルモードを選択する第二の選択回路、及び、選択された電力レベルモードに基づいてサブフィールドコードワードに前記ピクチャのビデオレベルを符号化するサブフィールド符号化回路を備えており、それぞれの電力レベルモードに対して固有な、フレームの間に保持パルスの数に関して可変であるサブフィールド編成が属する。
【００１４】
好ましくは、第二の選択回路は、前記電力値及び前記ピクチャ制御値に基づいてビデオゲイン値を選択するために使用される。ビデオゲインは、所望のピクチャ電力を得るために必要とされる保持パルスの数が電力レベルモードのうちの何れか１つの保持パルスの数よりも低いときに、表示されるべきピクチャの画素のビデオレベルに印加される。そのケースでは、乗算器回路は、前記ビデオゲインをビデオレベルに適用するために装置に提供される。
【００１５】
好適な実施の形態では、第二の選択回路は、第一の数の保持パルスに平均のピクチャ電力を変換する第一の回路、選択されたピクチャ制御値を最大の許容される数の保持パルス、最小の許容される数の保持パルス及び保持ゲインに変換する第二の回路、第一の数の保持パルスに前記保持ゲインを乗算し、第二の数の保持パルスを伝送する第三の回路、前記第二の数の保持パルスと前記最小の許容される数の保持パルスとの間で最大の数の保持パルスを選択する第四の回路、前記最大の数の保持パルスと前記最大の許容される数の保持パルスとの間で最小の数の保持パルスを選択する第五の回路、及び、前記最小の数の保持パルスを電力レベルモード及びビデオゲイン値に変換する第六の回路を有する。
【００１６】
第一の選択回路は、ユーザの視聴条件の機能として明るさ及び／又はコントラストを伝送する周囲の光検出器、及び／又はユーザにより制御されるコントラスト及び／ブライトネスセレクタとすることができる。  
本発明の例示的な実施の形態は、図面で説明され、以下の詳細な説明でさらに詳細に説明される。
【発明を実施するための最良の形態】
【００１７】
図１は、従来技術のプラズマディスプレイパネルの電力レベル制御装置のブロック図を示す。この電力レベル制御装置は、パネルの電力消費量を制御するＡＰＬ制御回路、及び
表示されるべきピクチャのコントラスト／明るさを制御するピクチャ制御回路を有する。これら２つの回路は、独立に機能する。
【００１８】
ピクチャ電力制御は、表示されるべきピクチャの入力ビデオ信号のレベルを変更することで行われる。したがって、ピクチャ電力制御回路は、入力ビデオ信号ＲＥＤ［７：０］、ＧＲＥＥＮ［７：０］、ＢＬＵＥ［７：０］を、ユーザにより選択されたピクチャパワーを表すピクチャ制御信号ＰＩＣＴ＿ＣＴＲＬ［７：０］で乗算することからなる。このピクチャ制御回路は、乗算器回路１０により実現される。ＡＰＬ制御は、表示されるべきピクチャの平均電力を計算し、電力消費量の良好な管理を有するため、（サブフィールド符号化に対応する）適切な電力レベルモードを選択することからなる。
【００１９】
図１を参照して、乗算器１０により出力されたビデオ信号ＲＥＤ［７：０］、ＧＲＥＥＮ［７：０］、ＢＬＵＥ［７：０］は、デガンマ（de-gamma）処理３０の後に平均電力レベル（APL:  Average  Power  Level）計算回路２０に供給される。ＡＰＬ計算回路２０は、ＡＰＬ［９：０］と呼ばれる１０ビットのＡＰＬ信号を出力し、この信号は、入力ピクチャを表示するために必要とされるトータルルミナンスパワーを表す。ピクチャの平均電力値ＡＰＬ［９：０］は、全てのビデオ入力データの画素値を合計し、結果を３で乗算される画素値の数を通して割ることで計算することができる。次いで、信号ＡＰＬ［９：０］は、サブフィールド編成を表す、ＡＰＬ＿ＭＯＤＥ［９：０］と呼ばれる、電力レベルモードに変換するためのＡＰＬモードデコーダ４０により使用される。実際には、ＡＰＬモードデコーダ４０は、シンプルなルックアップテーブルである。異なる電力レベルモードの例がここで与えられる。
【００２０】
モード２０４：２０４保持パルス（フルホワイト）  
モード２０５：２０５保持パルス  
．．．  
モード７００：７００保持パルス  
モード１０００：１０００保持パルス  
明確さの理由のため、この例で与えられる電力レベルモードの保持パルスの数は、モードナンバーに同一である。保持パルスは、ビデオフレームの異なるサブフィールドの間で分散される。この分散は、電力消費について重要性を有さないので記載されない。
【００２１】
乗算器１０により出力された入力ビデオ信号ＲＥＤ［７：０］、ＧＲＥＥＮ［７：０］、ＢＬＵＥ［７：０］は、フレーム遅延回路６０及びデガンマ処理７０により遅延された後、ＰＤＰディスプレイエンジン５０に供給される。確かに、入力ビデオ信号は、ＰＤＰディスプレイエンジン５０がリニアガンマ伝達関数（表示される明るさが発生される保持パルスの数に比例する）を有するため、デガンマ処理される必要がある。また、入力ビデオ信号は、デコーダ３０により決定される電力レベルモードＡＰＬ＿ＭＯＤＥ［９：０］がＰＤＰディスプレイエンジン５０に供給されるビデオデータに対応するため、フレーム期間から遅延される必要がある。
【００２２】
したがって、リニアディスプレイエンジン５０は、３つの１６ビットのデガンマ処理された入力ビデオ信号ＲＥＤ［１５：０］、ＧＲＥＥＮ［１５：０］、ＢＬＵＥ［１５：０］、及び発生されるべき保持パルスの数を制御する１０ビットのＡＰＬモード値ＡＰＬ＿ＭＯＤＥ［９：０］を受ける。信号ＡＰＬ＿ＭＯＤＥ［９：０］により選択されたサブフィールド編成は、ビデオ信号ＲＥＤ［１５：０］、ＧＲＥＥＮ［１５：０］、ＢＬＵＥ［１５：０］を符号化するため、ディスプレイエンジン５０により使用され、ディスプレイエンジン５０により出力された信号は、対応する画像を表示するためにＰＤＰドライバ８０に供給される。
【００２３】
先に記載されたように、ピクチャ制御部分及びＡＰＬ制御部分は、独立に機能し、その結果、矛盾した動作が生じる。本発明によれば、電力レベルモードは、表示されるべき画像の平均電力レベル、及びユーザにより選択されるか又は周囲の光センサにより定義されるピクチャ電力制御の機能として選択される。
【００２４】
図２は、本発明に係るプラズマディスプレイパネルの電力レベル制御装置のブロック図を示している。同じ参照符号は、同一の回路ブロックについて図１及び図２で使用される。図２では、乗算器１０が除かれ、ＡＰＬモードデコーダ４０は、信号ＡＰＬ［９：０］に加えて、ピクチャ制御信号ＰＩＣＴ＿ＣＴＲＬ［７：０］を受けるＡＰＬ制御回路４０’により置き換えられる。回路４０’は、電力レベルモード信号ＡＰＬ＿ＭＯＤＥ［９：０］及びビデオゲイン信号ＧＡＩＮ［９：０］を伝送する。電力レベルモード信号ＡＰＬ＿ＭＯＤＥ［９：０］は、サブフィールド符号化のためにディスプレイエンジン５０により使用される。ビデオゲインＧＡＩＮ［９：０］は、乗算器回路９０により、ビデオ信号ＲＥＤ［１５：０］、ＧＲＥＥＮ［１５：０］、ＢＬＵＥ［１５：０］に印加される。
【００２５】
基本的に、ＡＰＬ電力制御回路４０’の機能は、ユーザにより選択されたか、又はユーザの環境の光の関数として定義されたピクチャ制御ＰＩＣＴ＿ＣＴＲＬ［７：０］に従ってＡＰＬ制御により定義された電力レベルモードを変更することである。選択されたモードは、多くとも、図１のＡＰＬモードデコーダにより選択されたモードと同じ保持パルスの数を有する。この回路の基本原理は、フレームでの保持パルスの全体の数の値を代えることで、すなわち適切な電力レベルモードを選択することで、ピクチャ電力を増加又は減少することである。
【００２６】
図３は、ＡＰＬ制御回路４０’のブロック図を示す。この回路は、ＡＰＬ値ＡＰＬ［９：０］を、考慮されるＡＰＬ値に適合される電力レベルモードの保持パルスの数に対応する第一の数の保持パルスＳＵＳ＿ＮＢ１［９：０］に変換するための第一のルックアップテーブル４０１を有する。この回路は、また、それぞれのピクチャ制御値ＰＩＣＴ＿ＣＴＲＬ［７：０］を、以下の３つの値に変換する第二のルックアップテーブル４０２を有する。
【００２７】
ゲインファクタＳＵＳ＿ＧＡＩＮ［９：０］は、保持パルスＳＵＳ＿ＮＢ１［９：０］の全体の数を減少するために使用され、その値は、ピクチャ制御値ＰＩＣＴ＿ＣＴＲＬ［７：０］の値が減少するときに減少する。  
多数の保持パルスＳＵＳ＿ＨＩＧＨ［９：０］は、所望のピクチャ制御を適用するために許容される最も高い許容される数の保持パルスであり、その数は、ピクチャのコントラスト及び／又は明るさが高いときに高く、ピクチャのコントラスト及び／又は明るさが低いときに低い。  
多数の保持パルスＳＵＳ＿ＬＯＷ［９：０］は、所望のピクチャ制御を適用するために許容される保持パルスの最低の数であり、この数は、実際には、最も高い許容される数の保持パルスＳＵＳ＿ＨＩＧＨ［９：０］が低いときを除いて、フルホワイトのピクチャのためのＡＰＬ制御による保持パルスの数に等しく、その場合、この数ＳＵＳ＿ＬＯＷ［９：０］は、フルホワイトのピクチャのためのＡＰＬ制御による保持パルスの数よりも低い。
【００２８】
次いで、保持パルスＳＵＳ＿ＮＢ１［９：０］の数は、乗算器回路４０３により、ゲインＳＵＳ＿ＧＡＩＮ［９：０］で乗算される。この乗算器回路は、第二の数の保持パルスＳＵＳ＿ＮＢ２［９：０］を送出する。図３の例では、ゲインファクタＳＵＳ＿ＧＡＩＮ［９：０］は、異なるピクチャ制御値について十分な精度をもつゲインファクタを有するために、０と１０２３との間に含まれる。結果として、ゲインファクタＳＵＳ＿ＧＡＩＮ［９：０］は、乗算器回路３０４において１０２４で除算される。
【００２９】
次いで、第二の数の保持パルスＳＵＳ＿ＮＢ２［９：０］は、これら２つの値の間で最大値を選択する回路４０４により、最も高い許容される数の保持パルスＳＵＳ＿ＬＯＷ［９：０］に比較される。保持パルスの数は、回路４０４により出力されるＳＵＳ＿ＮＢ３［９：０］で参照され、次いで、これら２つの値の間で最小値を選択する回路４０５により、最も高い許容される数の保持パルスＳＵＳ＿ＨＩＧＨ［９：０］に比較される。最終的に、回路４０５により出力され、ＳＵＳ＿ＮＢ４［９：０］で参照される保持パルスの数は、保持モードのルックアップテーブル４０６により、先に定義されたように電力レベルモードＡＰＬ＿ＭＯＤＥ［９：０］、及びビデオ入力信号ＲＥＤ［１５：０］、ＧＲＥＥＮ［１５：０］、ＢＬＵＥ［１５：０］に適用されるゲインファクタを表すゲイン値ＧＡＩＮ［９：０］に変換される。電力レベルモードＡＰＬ＿ＭＯＤＥ［９：０］に関して、ＬＵＴ４０１及び４０６がダイレクトに直列に接続された場合、それらは、図１のＡＰＬモードデコーダ４０に等価である。
【００３０】
ゲインファクタＧＡＩＮ［９：０］は、保持パルスＳＵＳ＿ＮＢ４の数が（フルホワイトのピクチャモードに対応する）最も低い数の保持パルスによる電力レベルモードの保持パルスの数よりも低いときに必要とされる。たとえば、数ＳＵＳ＿ＮＢ４が１５０に等しく、最も低い数の保持パルスによるモードが２００の保持パルスを有するとき、ＬＵＴ４０により選択されたモードは、このモードであり、ゲインファクタＧＡＩＮ［９：０］は、１５０／２００＝３／４に等しい。明るさは保持パルスの数に比例するので、このゲインは、ビデオデータがリニアである場合、すなわち図２に示されるようなデガンマ機能の後に導入される必要がある。
【００３１】
提案される回路は、（通常は最大値である）ＰＤＰパネル仕様の定格の公称値に関してＰＤＰピクチャパワーを低減するために使用され、電力供給のオーバロードを防止するために、ＰＤＰピクチャパワーを増加するために使用されるべきではない。
【００３２】
信号ＰＩＣＴ＿ＣＴＲＬ［７：０］、ＳＵＳ＿ＧＡＩＮ［９：０］、ＳＵＳ＿ＬＯＷ［７：０］及びＳＵＳ＿ＨＩＧＨ［９：０］の例が以下に与えられる。この表では、ビデオフレームがフルホワイトピクチャについて２００の保持パルスを有し、ピークホワイトピクチャについて１０００の保持パルスを有することが想定されている。明確さのため、低減された数（１６）のピクチャ電力制御値ＰＩＣＴ＿ＣＴＲＬ［７：０］が２５６のピクチャ電力制御値の代わりに与えられている。ピクチャ電力制御値は、ユーザにより選択されるか、又は周囲の光センサから取得される。それらピクチャ電力制御値は、これら２つのコマンドの混合とすることもできる。高いピクチャ電力制御値は、高い明るさ及び／又はコントラストが要求されることを示している。これに反して、低いピクチャ電力制御値は、低い明るさ及び／又はコントラストが要求されることを示している。
【００３３】
【表１】
2007133406.tif 000003
これらの値は例として与えられており、多くの他の可能性が許容される。ＰＤＰの製造業者は、実際には、フルホワイトピクチャ及びピークホワイトピクチャパワーレベルの観点で、どのように電力が低減されるかを判定するための自由度を有する。ファクタＰＯＷＥＲ＿ＳＵＳＴＡＩＮ＿ＧＡＩＮ［９：０］は、フルホワイトピクチャに対応するモードとピークホワイトピクチャに対応するモードとの間に含まれる中間モードについて使用されるパワーゲインを規定するために提供される。
【００３４】
本実施の形態で提供される発明は、古典的なパワーマネージメント回路の改良である。本発明は、ユーザ又は周囲の光センサにより選択されたピクチャ電力と矛盾しないパネルのパワーマネージメントを有するためのシンプルかつ容易な方法を提案する。より詳細には、本発明は、パネル動作を実際のユーザの視聴の条件（昼間の視聴に対する暗くされた環境の光による夜間の視聴）に適合するために効率的なやり方である。ＡＰＬ電力制御回路４０’は、コントラスト又は明るさの自動的な調整のための周囲光の測定セルと結合することができる。そのケースでは、以下を得る。
ＰＩＣ＿ＣＴＲＬ［７：０］＝ＡＭＢＩＥＮＴ＿ＬＩＧＨＴ［７：０］
電力制御回路は、ユーザのピクチャコントラストの調整を実現するために使用することもできる。そのケースでは、以下を得る。
ＰＩＣ＿ＣＴＲＬ［７：０］＝ＵＳＥＲ＿ＣＯＮＴＲＡＳＴ［７：０］
電力制御回路が周囲光の測定セル及びユーザコントラスト設定の両者の結合で使用される場合、以下を得る。
ＰＩＣ＿ＣＴＲＬ［７：０］＝（ＡＭＢＩＥＮＴ＿ＬＩＧＨＴ［７：０］*ＵＳＥＲ＿ＣＯＮＴＲＡＳＴ［７：０］）／２５６
このように、表示されたビデオレベルの数を低減することなしに、表示されたピクチャのルミナンスパワーを実際の視聴環境及びコントラスト設定に適合させるためのシンプルかつ自然な方法が可能となる。
【００３５】
また、本発明は、明るさ又はコントラストが入力側でのビデオゲインにより排他的に制御されるソリューションに比較した場合、ビデオを符号化するために利用可能な離散的なビデオレベルの数が高いため、画質を改善する。
【００３６】
全ての図で示されるブロックは、ハードウェアコンポーネントによるよりはむしろ、適切なコンピュータプログラムで実現することができる。さらに、本発明は、開示される実施の形態に限定されるものではない。
【００３７】
様々な変更が可能であり、請求項の範囲に含まれるものと考えられ、たとえば、他の値の最大又は最小の許容される数の保持パルスＳＵＳ＿ＨＩＧＨ［９：０］又はＳＵＳ＿ＬＯＷ［９：０］、若しくは他の値のゲインＳＵＳ＿ＧＡＩＮ［９：０］を使用することができる。
【００３８】
本発明は、グレイレベルのバリエーションの光放出のＰＷＭのような制御を使用することで制御される全ての種類のディスプレイについて使用することができる。
【図面の簡単な説明】
【００３９】
【図１】従来技術のプラズマディスプレイパネルの電力レベル制御装置のブロック図である。
【図２】本発明に係るプラズマディスプレイパネルの電力レベル制御装置のブロック図である。
【図３】図２の装置のＡＰＬ電力制御回路のブロック図である。
【符号の説明】
【００４０】
２０：平均電力レベル測定回路
３０，７０：デガンマ処理手段
４０’：ＡＰＬ電力制御
５０：ＰＤＰリニアディスプレイエンジン
６０：フレームディレイ
８０：ＰＤＰスクリーン及びドライバ
９０：乗算器回路
【図１】
2007133406.tif 000004
【図２】
2007133406.tif 000005
【図３】
2007133406.tif 000006